(57)【要約】【課題】落下衝撃を緩和する光ピックアップ装置を提供する。【解決手段】本発明の光ピックアップ装置１０は、ハウジング１２と、このハウジング１２に組み込まれた各種光学素子を備えている。ハウジングの両端に設けた第１の軸受部１４、第２の軸受部１５をシャフト１６、１７に保持する。第２の軸受部１５は、挟持部５０と応力緩和面５３を有し、応力緩和面５３で第２のシャフト１７に生じた衝撃を分散させる。よって、ハウジングに割れが生じにくく、強度が向上する。【選択図】図３
2014235766.tif 000002
【特許請求の範囲】
【請求項１】
光学素子を収納したハウジングを第１のシャフトと第２のシャフトの延在方向に移動可能な光ピックアップ装置において、
前記ハウジングは、前記第１および前記第２のシャフトを挟持する第１の軸受部と第２の軸受部を両端部分に設け、
前記第２の軸受部は、第２のシャフトを挟持する挟持部と、テーパー面を設けた応力緩和面とを有し、
前記応力緩和面の前記テーパー面で、前記第２のシャフトに生じる落下衝撃の応力を分散させることを特徴とする光ピックアップ装置。
【請求項２】
前記挟持部は、上下方向の投影形状が対称に配置されることを特徴とする請求項１に記載の光ピックアップ装置。
【請求項３】
前記応力緩和面は、対角線上に少なくとも一対を配置されることを特徴とする請求項１に記載の光ピックアップ装置。
【請求項４】
前記応力緩和面は、第２のシャフトに当接する個所に配置されることを特徴とする請求項１に記載の光ピックアップ装置。
【請求項５】
前記挟持部は、台形状に形成されることを特徴とする請求項１に記載の光ピックアップ装置。
【発明の詳細な説明】
【技術分野】
【０００１】
本発明は、シャフトの当接面に応力緩和面を有する軸受部を持つ光ピックアップ装置に関する。
【背景技術】
【０００２】
図８を参照して、従来から存在する光ピックアップ装置１００の構成を説明する。光ピックアップ装置１００は、樹脂材料等を所定形状に成形したハウジング１０１に複数の光学素子が収納されている。ハウジング１０１の上面には、基板１０２と、コネクタ１０３、対物レンズ１０５を保持するアクチュエータ１０４が配置されている。光ピックアップ装置１００は、ハウジング１０１に内蔵された発光素子から放射されたレーザー光を、対物レンズ１０５を経由して光ディスクに照射し、光ディスクで反射したレーザー光を受光素子で読み取ることで、光ディスクからの情報の読み出しまたは書き込みを行う。
【０００３】
ハウジング１０１は、第１のシャフト１０９、第２のシャフト１１０によって移動可能に支持される。第１のシャフト１０９は、ハウジングに設けた軸受部１０７に移動可能に挿通され、第２のシャフト１１０は、ハウジングに設けた軸受部１０８に移動可能に装備される。各シャフト１０９、１１０は、シャーシ（図示せず）に取り付けられる（特許文献１）。
【先行技術文献】
【特許文献】
【０００４】
【特許文献１】特開２００８−０７７６９９号公報
【発明の概要】
【発明が解決しようとする課題】
【０００５】
近年、光ピックアップ装置１００を組み込むコンピュータの組立メーカ等から、光ピックアップ装置の軽量化や小型化を要求されている。
【０００６】
具体的には、光学素子を収納するハウジング１０１が金属製から樹脂製に変更されることで、光ピックアップ装置１００の軽量化を図る。しかし、ハウジング１０１を樹脂製に変更した場合、ハウジングは強度不足となる。また、樹脂製のハウジング１０１は、金属製の各シャフト１０９、１１０によって移動可能に支持される。
【０００７】
従って、光ピックアップ装置１００は、ハウジング１０１と各シャフト１０９、１１０を装着した状態で落下されると、樹脂製のハウジング１０１に衝撃が加わる。これにより、ハウジングの軸受部１０７、１０８とシャフト１０９、１１０が局部接触し、負荷がかかる問題点がある。また、樹脂製のハウジング１０１にクラックが生じる問題点もあった。
【０００８】
また、光ピックアップ装置１００が輸送されるときに多少の振動や衝撃が伝えられ、樹脂製のハウジング１０１に破損等が生ずる恐れがあった。
【０００９】
本発明はこのような問題点に鑑みて成されたものであり、本発明の目的は、十分な強度とクラックの発生し難いハウジングを有する光ピックアップ装置を提供することに有る。
【課題を解決するための手段】
【００１０】
本発明の光ピックアップ装置は、光学素子を収納したハウジングを第１のシャフトと第２のシャフトの延在方向に移動可能な光ピックアップ装置において、前記ハウジングは、前記第１および前記第２のシャフトを挟持する第１の軸受部と第２の軸受部を両端部分に設け、前記第２の軸受部は、第２のシャフトを挟持する挟持部と、テーパー面を設けた応力緩和面とを有し、前記応力緩和面の前記テーパー面で、前記第２のシャフトに生じる落下衝撃の応力を分散させることを特徴とする。
【発明の効果】
【００１１】
本発明によれば、ハウジングの第２の軸受部は、シャフトと対向する面で強度を高めたい個所に、テーパー状の応力緩和面を設ける。これにより、ハウジングにシャフトを保持させた状態で落下等の衝撃を与えても、第２のシャフトに伝導された衝撃は、テーパー状の応力緩和面に線接触しながら応力を分散できる。従って、第２の軸受部を起点とするクラックの発生が回避され、ハウジングの強度が向上する。
【００１２】
また、第２の軸受部の応力緩和面は、上下のひさし状部分の対向面側に、少なくとも一対を対角線上に配置し形成される。これにより、落下等の衝撃でハウジングに生じるネジレ方向および上下方向の応力を、効果的に分散できる。従って、第２の軸受部の付け根に応力が集中されることなく、ハウジングに生じるクラック等を大幅に抑制できる。
【００１３】
更に、第２の軸受部は台形状に形成し、かつ衝撃に弱い個所に応力緩和面を設けて補強する。これにより、第２のシャフトを保持する断面積を増やしつつ、第２のシャフトとの間に生じる接触抵抗を低減でき、更にネジレ方向の応力にも対応できる。また、第２のシャフトを応力緩和面で線接触させながら応力を低減でき、更に上下方向の応力にも対応できる。
【図面の簡単な説明】
【００１４】
【図１】本発明の光ピックアップ装置を対物レンズが露出する側を上面に示す斜視図である。
【図２】本発明の光ピックアップ装置に組み込まれる光学系を示す図である。
【図３】本発明の光ピックアップ装置を示す斜視図である。
【図４】本発明の光ピックアップ装置の第２の軸受部を示す拡大斜視図である。
【図５】本発明の光ピックアップ装置を示す図であり、（Ａ）は落下時の光ピックアップ装置を示す正面図であり、（Ｂ）は第２の軸受部を示す拡大正面図であり、（Ｃ）は第２の軸受部を示す拡大斜視図であり、（Ｄ）は第２の軸受部を示す平面図である。
【図６】本発明の光ピックアップ装置を示す図であり、（Ａ）は光ピックアップ装置を示す斜視図であり、（Ｂ）は落下時の第２のシャフトと第２の軸受部との関係を示す側面図であり、（Ｃ）は落下時に第２の軸受部が受ける力を説明する拡大斜視図である。
【図７】本発明の光ピックアップ装置を示す図であり、（Ａ）は光ピックアップ装置を示す斜視図であり、（Ｂ）は落下時の第２のシャフトと第２の軸受部との関係を示す側面図であり、（Ｃ）は落下時の第２の軸受部が受ける力を説明する拡大斜視図である。
【図８】背景技術の光ピックアップ装置を示す斜視図である。
【発明を実施するための形態】
【００１５】
図１を参照して、本形態の光ピックアップ装置１０を説明する。対物レンズが露出する面を上面とした場合を示す。
【００１６】
図１を参照して、光ピックアップ装置１０は、ＤＶＤ（Digital Versatile Disk）およびＣＤ（Compact Disk）規格のレーザー光を、光ディスク（情報記録媒体）の情報記録層に合焦させ、この情報記録層からの反射光を受光して電気信号に変換する機能を備えている。これにより、光ディスクからの情報の読み出しや、光ディスクへの情報の書き込みが行われる。ここで、光ピックアップ装置１０は必ずしもこれら２種類の規格のレーザー光に対応する必要はない。これらに加えてＢＤ（Blu-ray（登録商標） Disc）規格のレーザー光に対応しても良いし、これらの何れかの規格のみに対応しても良い。
【００１７】
光ピックアップ装置１０は、ハウジング１２と、このハウジング１２に組み込まれた各種光学素子を備えている。また、ハウジング１２には、対物レンズ２６を移動可能に保持するアクチュエータ１８が組み込まれている。
【００１８】
ハウジング１２は、射出成形で一体的に形成された樹脂材料から成り、光学素子や電子部品を収納可能な収納領域が内部に形成されている。ハウジング１２を構成する樹脂材料としてはポリカーボネート、変性ＰＰＥ、ＡＢＳ樹脂、ＰＰＳ等が採用される。ハウジング１２の一部には、ターンテーブルが近接するエリアに湾曲部が設けられている。そしてこの湾曲部を挟む様に、その両端部分には、軸受部が設けられる。軸受部は、ガイド孔を備える第１の軸受部１４と、ガイド溝を備える第２の軸受部１５から成る。使用状況下に於いては、第１の軸受部１４にはシャフト（不図示）が挿通され、第２の軸受部１５には別のシャフト（不図示）が係合される。光ピックアップ装置１０は、これらのシャフトに沿って移動する。
【００１９】
図１を参照して、対物レンズ２６が露出するハウジング１２の上面は大部分がカバー１１で被覆されている。カバー１１は厚みが０．１ｍｍ程度の金属板を所定形状に曲折加工したものであり、その周囲はハウジング１２の側面に設けた凸状部位に嵌合している。また、カバー１１は、その孔部を貫通するネジ３１を経由してハウジング１２に結合されている。一方、ハウジング１２の上面であって対物レンズ２６が露出する領域は、レーザー光の照射を可能とするために、カバー１１では被覆されていない。具体的には、対物レンズ２６を所定の位置に保持するアクチュエータ１８は、対物レンズ２６を保持する箱状のホルダ２４と、このホルダ２４を複数の支持ワイヤ２２を経由して弾性的に支持する支持部２０とから構成されている。本形態では、少なくとも対物レンズ２６とホルダ２４が、カバー１１で被覆されること無く外部に露出している。
【００２０】
図２を参照して、光ピックアップ装置１０に内蔵される光学素子を説明する。
【００２１】
光ピックアップ装置１０は、発光素子２８と、回折格子３０と、ハーフミラー３２と、コリメータレンズ３８と、立ち上げミラー４０と、１／４波長板３６と、ＡＳ板４２と、ＰＤＩＣ４４と、ＦＭＤ３４とを主要に備えている。
【００２２】
発光素子２８は、１つまたは複数のレーザーチップを内蔵し、このレーザーチップの発光点から上記した各規格のレーザー光を放射する。
【００２３】
回折格子３０は、発光素子２８から放射された各レーザー光を、０次回折光、＋１次回折光及び−１次回折光に分離する。
【００２４】
ハーフミラー３２は、発光素子２８から放射されて回折格子３０等を経由する往路のレーザー光を反射する一方、光ディスクにより反射された復路のレーザー光（戻り光）を透過させる。
【００２５】
１／４波長板３６は、ハーフミラー３２で反射されたレーザー光を直線偏光光から円偏光光に変換する作用を有し、逆に光ディスクにて反射された戻り光を円偏光光から直線偏光光に変換する。
【００２６】
コリメータレンズ３８は、ハーフミラー３２にて反射されたレーザー光を平行光にする。
【００２７】
立ち上げミラー４０は、コリメータレンズ３８を透過したレーザー光を、対物レンズの側に反射する働きを有する。
【００２８】
ＰＤＩＣ４４は、各規格のレーザー光を検出すると共に、フォーカスサーボ用およびトラッキングサーボに用いられる。
【００２９】
ＦＭＤ３４（front monitor diode）は、発光素子２８から放射されてハーフミラー３２を透過したレーザー光を検出する。
【００３０】
ＬＤＤ４６（laser diode driver）は、ＦＭＤ３４の出力を受けて、発光素子２８から放射されるレーザー光の強度を調整する。
【００３１】
ＡＳ板４２は、ハーフミラー３２を透過する戻り光のレーザー光に対して収差を付与する。
【００３２】
次に、以上のように構成された光ピックアップ装置１０の読み出し動作および書き込み動作を説明する。各規格の読み出しおよび書き込みで用いられるレーザー光の光路は以下の様に同一である。
【００３３】
先ず、発光素子２８から放射されたレーザー光は、回折格子３０を通過することで０次回折光、＋１次回折光および−１次回折光に分離される。これは、ＰＤＩＣ４４を用いてサーボを行うためである。回折格子３０を通過したレーザー光は、ハーフミラー３２にて反射され、その後、レーザー光は、１／４波長板３６で円偏光光に変換された後に、コリメータレンズ３８により平行光に変換され、立ち上げミラー４０で反射されて光ディスクに対して垂直方向に進行する。その後、不図示の対物レンズが有する屈折作用や回折作用により、光ディスクの信号記録面に合焦する。
【００３４】
ディスクの信号記録面で反射されたレーザー光（戻り光）は、対物レンズ、立ち上げミラー４０、コリメータレンズ３８を経て１／４波長板３６を通過することで、往路とは偏光方向が異なる直線偏光光に変換される。具体的には、往路で円偏光光とされたレーザー光がディスクの情報記録層で反射されることで偏光方向が逆となり、この状態の円偏光光が復路で１／４波長板３６を通過して直線偏光光とされることで、偏光方向が変換される。次に、直線偏光光となったレーザー光は、ハーフミラー３２を透過してＡＳ板４２を透過することで、収差の付与および補正が行われた後に、ＰＤＩＣ４４の受光面に照射される。ＰＤＩＣ４４は、情報の読み出しを行うと共に、フォーカスサーボおよびトラッキングサーボの為の信号を出力する。
【００３５】
また、発光素子２８から放射される往路のレーザー光の一部は、ハーフミラー３２を透過してＦＭＤ３４に照射される。ＬＤＤ４６はＦＭＤ３４に照射されたレーザー光の強度に基づいて、発光素子２８から放射されるレーザー光が所定の強度となるように調整する。
【００３６】
以上が光ピックアップ装置１０の光学的な構成および動作の説明である。
【００３７】
図３を参照して、本形態で採用される光ピックアップ装置１０の構成を説明する。
【００３８】
図３を参照して、本形態の光ピックアップ装置１０は、第１のシャフト１６および第２のシャフト１７に沿って移動する。第１のシャフト１６は主ガイド軸とされ、第２のシャフト１７は副ガイド軸とされる。
【００３９】
第１のシャフト１６と第２のシャフト１７は、互いに平行にシャーシ（不図示）に固定される。第１のシャフト１６および第２のシャフト１７は、シャーシの一主面においてシャフトと同じ水平方向に延在する。第１のシャフト１６および第２のシャフト１７は断面が略円形状であり、第１のシャフト１６は第１の軸受部１４に挿通される。第２のシャフト１７は、例えば横Ｕ字形状に設けられた第２の軸受部１５のひさし状部分により支持される。
【００４０】
これにより、光ピックアップ装置１０は、第１のシャフト１６の延在方向に移動可能に支持される。第１のシャフト１６の延在方向は、光ディスクの径（ラジアル）方向といわれる。
【００４１】
光ピックアップ送り装置（不図示）は、シャーシ（不図示）の一辺に沿った端部に固定され、光ピックアップ装置１０を光ディスクの径方向に移動させる。第１のシャフト１６および第２のシャフト１７には、光ピックアップ装置１０の第１の軸受部１４および第２の軸受部１５との摺動性を向上させる潤滑剤が塗布される。これにより、光ピックアップ装置１０は、長期に亘って第１のシャフト１６および第２のシャフト１７上を滑らか且つ確実に往復移動する。
【００４２】
図４を参照して、本形態で採用される第２の軸受部１５の構成を説明する。図４は第２の軸受部の拡大斜視図であり、図３に示した点線で囲われた個所に対応する。
【００４３】
図４を参照して、第２の軸受部１５は、光ピックアップ装置に備えられるハウジングの一方の端部に設けられ、挟持部５０と応力緩和面５３から成る。
【００４４】
挟持部５０は、横Ｕ字形状に設けられ、略半円柱状の側壁５１と、側壁の上端および下端から突出するひさし状部分５２とを有する。具体的には、挟持部５０は樹脂製であり、一定の厚みを有する。また、ひさし状部分５２は扁平な台形状に形成され、ハウジング１２から離間するに従い緩やかに傾斜してすぼまる。上側のひさし状部分５２と下側のひさし状部分５２は、上下方向の投影形状が対称に配置される。なお、上下のひさし状部分は一定の厚さに等しく設けることが望ましいが、設計上高さ制限があるために、支持する上側のひさし状部分を厚く形成し、下側のひさし状部分は上側に比べ薄く形成される。
【００４５】
応力緩和面５３は、第２のシャフト１７（不図示）と当接する個所に設けたテーパー面である。複数のテーパー面を設けて応力緩和面５３の面積を大きくし、第２のシャフト１７との間に生じる応力を分散させる。また、応力緩和面５３は、上下のひさし状部分５２の対向面に、少なくとも一対を対角線上に配置する。なお、光ピックアップ装置の形状に応じて、二対の応力緩和面をそれぞれ対角線上に設けてもよい。また、応力緩和面５３のテーパー面は、曲面状に形成してもよい。
【００４６】
具体的には、応力緩和面５３は、挟持部５０の図中左上端部と右下端部の対角線上に一対配置され、テーパー面は外側に向けて肉薄に形成される。下側のひさし状部分の厚さは、上側のひさし状部分と比較して薄いため、テーパー面で肉付けを行う。ここで、肉付けとは、挟持部の補強したい個所にテーパー面を形成して面積を大きくし、強度を高めることをいう。一方、上側のひさし状部分は厚く形成されて強度を有するため、下側の応力緩和面と同形状に形成してもよいが、例えば、テーパー面を小さく設け、応力緩和面５３の面積を小さくし、補強強度を若干小さくしてもよい。
【００４７】
本形態の第２の軸受部１５は、挟持部５０で第２のシャフト１７（不図示）を保持する。そのため、十分な強度を有すること及び接触抵抗を低くすることが必要とされる。強度を考慮すると、ひさし状部分５２の形状は、断面積を大きく設けることが望ましい。しかし、断面積を大きく設けると、応力は発生しやすくなる。一方、低接触抵抗であることを考慮すると、ひさし状部分とシャフトとの接触面積は小さいほうが良い。しかし、強度が弱くなる。更に、挟持部の外形寸法には設計上の制約がある。これらを考慮すると、本形態の扁平な台形状で、かつ対角線上に少なくとも一対の応力緩和面を設けた構造が好適となる。
【００４８】
以下に、図６、図７を参照して、本発明者は光ピックアップ装置の落下衝撃を効果的に分散できる第２の軸受部の構造について詳細に考察した。
【００４９】
先ず、図６は、等脚台形状の第２の軸受部６０を設けた光ピックアップ装置である。
【００５０】
図６（Ａ）を参照して、光ピックアップ装置１０は、ハウジングの両端に第１の軸受部１４と第２の軸受部６０を設け、シャフト１６、１７で保持される。
【００５１】
第２の軸受部６０は、挟持部６１のみを有する。挟持部６１は、横Ｕ字形状に設けられ、略半円柱状の側壁６２（不図示）と、側壁の上端および下端から突出するひさし状部分６３とを有する。上下のひさし状部分６３の形状は、等脚台形状に形成され、上下方向からの投影形状は対称に配置される。
【００５２】
図６（Ｂ）を参照して、光ピックアップ装置１０が落下すると、ハウジングとシャフトに衝撃が加わる。図６（Ａ）に示す光ピックアップ装置１０の場合には、光ピックアップ装置１０の重心点がセンターにないため傾き、第１の軸受部１４を下側に落下し、第１の軸受部１４に対角線上の応力が働くが、第２のシャフトはほとんど変形しないため第２のシャフト１７と第２の軸受部６０に割れが発生する。
【００５３】
具体的には、第２のシャフト１７に加わった衝撃は、第２のシャフト１７を介して第２の軸受部６０に伝えられる。第２のシャフト１７と第２の軸受部６０は、挟持部６１の図中左上端部と右下端部の２か所で接触する。なお、図中斜線で示した個所が第２の軸受部６０である。
【００５４】
図６（Ｃ）を参照して、落下衝撃の応力は、挟持部６１のひさし状部分６３の付け根に示すｂ点（黒色の□）に集中していることが分かる。第２の軸受部６０は挟持部のみを有し、応力緩和面を有さない。よって、ひさし状部分６３を構成する各面は直角に交わった状態である。そのため、第２のシャフト１７は、ひさし状部分６３の台形の脚部分のコーナーのみで点接触し、衝撃は緩和されない。その結果、応力はひさし状部分の付け根に示すｂ点に集中し、第２の軸受部６０を起点としたクラックの発生要因となる。
【００５５】
なお、従来の長方形状の軸受部（図８参照）と比較し、等脚台形状に形成した第２の軸受部６０(図６（Ａ）参照)は両端に設けた三角形分だけ断面積が大きくなる。そのため、従来の軸受部と比較して、ネジレ方向の強度は増加されるが、応力は集中し易くなる。具体的には、ひさし状部分６３の付け根に応力が集中する。従って、第２の軸受部６０は欠けやすく、対策としては不十分であることが分かった。
【００５６】
次に、図７は、非等脚台形状の第２の軸受部７０を設けた光ピックアップ装置である。
【００５７】
図７（Ａ）を参照して、光ピックアップ装置１０は、ハウジングの両端に第１の軸受部１４と第２の軸受部７０を設け、シャフト１６、１７で保持される。
【００５８】
第２の軸受部７０は、挟持部７１のみを有する。挟持部７１は、横Ｕ字形状に設けられ、略半円柱状の側壁７２（不図示）と、側壁の上端および下端から突出するひさし状部分７３とを有する。上下のひさし状部分７３の形状は、非等脚台形状に形成され、上下方向からの投影形状は非対称に配置される。ここでは、非等脚台形とは台形の脚の長さが異なり、中央より一方側に偏った形状をいう。
【００５９】
図７（Ｂ）を参照して、光ピックアップ装置１０が落下すると、ハウジングとシャフトに衝撃が加わる。なお、図７（Ａ）に示す光ピックアップ装置１０は、第２の軸受部の形状以外は図６（Ａ）に示す光ピックアップ装置１０と同じであり、落下衝撃の作用も同様である。従って、第２のシャフト１７と第２の軸受部７０は、挟持部７１の図中左上端部と右下端部の２か所で接触する。なお、図中斜線で示した個所が第２の軸受部７０である。
【００６０】
図７（Ｃ）を参照して、落下衝撃の応力は、挟持部７１のひさし状部分７３の付け根付近に示すｃ点（▲）に集中していることが分かる。第２の軸受部７０は挟持部のみを有し、応力緩和面を有さない。よって、ひさし状部分７３を構成する各面は直角に交わった状態である。そのため、第２のシャフト１７は、ひさし状部分７３の台形の脚部分のコーナーのみで点接触する。なお、応力が集中する個所は、図６（Ｃ）と比較し、若干ひさし状部分の付け根から離間しているため、若干衝撃が緩和されたことが分かる。しかし、それでも、第２の軸受部７０を起点としたクラックの発生要因となることには変わりはない。
【００６１】
なお、従来の長方形状の軸受部（図８参照）と比較し、非等脚台形状に形成した第２の軸受部７０(図７（Ａ）参照)は両端に設けた三角形分だけ断面積が大きくなる。また、第２の軸受部７０は、上下方向からの投影形状を非対称に配置されることにより、ひさし状部分７３の上下方向からの投影形状が左右にずれ、上下方向からの投影形状を対象に配置した場合と比較して、断面積が増える。これにより、従来および図６の軸受部と比較し、ネジレ方向の応力に対する強度は十分に確保できるようになった。しかし、上下方向の応力に対しては未だ強度が不十分であり、応力は第２の軸受部７０の付け根付近に集中している。従って、第２の軸受部７０は欠けやすく、対策としては未だ不十分であることが分かった。
【００６２】
そこで、以上の考察の結果、本発明者は、落下衝撃に対しネジレ方向および上下方向の応力に十分対応できる強度を持つ軸受部を発明するに至った。
【００６３】
図５を参照して、本形態で採用される光ピックアップ装置１０に落下衝撃が加わった場合を説明する。図５（Ａ）は落下時の第２のシャフトと第２の軸受部との関係を示す側面図であり、図５（Ｂ）は落下時の第２の軸受部を示す拡大側面図であり、図５（Ｃ）は落下時に第２の軸受部が受ける力を説明する拡大斜視図であり、図５（Ｄ）は第２の軸受部１５と第２のシャフト１７との当接面を示す平面図である。
【００６４】
図５（Ａ）（Ｂ）を参照して、シャフトに支持された光ピックアップ装置１０が落下すると、ハウジングとシャフトに衝撃が加わる。なお、図５（Ａ）に示す光ピックアップ装置１０は、第２の軸受部の形状以外は図６（Ａ）に示す光ピックアップ装置１０と同じであり、落下衝撃の作用も同様である。従って、第２のシャフト１７と第２の軸受部１５は、挟持部５０の左上端部と右下端部の２か所で接触する。なお、図中斜線で示した個所が第２の軸受１５である。
【００６５】
図５（Ｃ）を参照して、落下衝撃の応力は、ひさし状部分５２の台形状の脚部の中央付近で、かつ応力緩和面５３のテーパー面上のａ点（●）で作用していることが分かる。第２のシャフト１７は上方向に振れる際、応力緩和面５３に設けた各テーパー面に線接触する。これにより、第２のシャフト１７に加わった落下衝撃の応力は、応力緩和面５３を構成する各テーパー面に伝えられて分散され、緩和できる。
【００６６】
なお、前述のように、本形態の光ピックアップ装置は、落下により第２のシャフト１７の左側を図５（Ａ）の上方向に傾ける。そのため、応力緩和面５３は第２のシャフトに当接される個所に設けた。従って、本形態とは逆に、落下によりシャフトを下方向に傾ける光ピックアップ装置の場合には、図示はしないが、応力緩和面５３は第２のシャフトに当接される個所、すなわち挟持部の右上端部および左下端部に設ける。なお、応力緩和面は、挟持部の上下の左右端部の４か所に設けてもよい。
【００６７】
図５（Ｄ）を参照して、ひさし状部分５２と第２のシャフト１７（不図示）の対向面は、応力緩和面５３とそれ以外の水平面とから成る。なお紙面上、上側に示した台形は上側のひさし状部分５２に対応し、下側に示した台形は下側のひさし状部分５２に対応する。具体的には、水平面は、２つの三角形（Ａ、Ｂ）と四角形（Ｃ）とを合わせた形状である。また、応力緩和面５３は、テーパー面で構成され、対角線上に対向配置される。
【００６８】
これにより、第２のシャフト１７を挟持する水平面は断面積が大きくなる。なお、従来の長方形状の軸受部（図８参照）と比較しても、三角形（Ａ、Ｂ）分だけ面積が増加する。また、応力緩和面を対角上に配置したことにより、上下方向からの投影形状でひさし状部分が左右にずれ、断面積が増える。従って、落下衝撃によるネジレ方向の応力に対応できる。その結果、ネジレ方向の強度を向上できる。
【００６９】
また、応力緩和面５３は第２のシャフトと接触する個所に、テーパー面を設けて形成される。従って、第２のシャフト１７は、テーパー面に線接触しながら上下方向の応力を分散していく。その結果、上下方向の強度も向上できる。
【００７０】
その結果、第２の軸受部１５を起点としたクラックの発生要因を解消した。
【符号の説明】
【００７１】
１０   光ピックアップ装置
１１   カバー
１２   ハウジング
１４   第１の軸受部
１５   第２の軸受部
１６   第１のシャフト
１７   第２のシャフト
１８   アクチュエータ
２０   支持部
２２   支持ワイヤ
２４   ホルダ
２６   対物レンズ
２８   発光素子
２９   配線シート
３０   回折格子
３１   ネジ
３２   ハーフミラー
３４   ＦＭＤ
３６   １／４波長板
３８   コリメータレンズ
４０   立ち上げミラー
４２   ＡＳ板
４４   ＰＤＩＣ
４６   ＬＤＤ
５０   挟持部
５１   側壁
５２   ひさし状部分
５３   応力緩和面
６０   第２の軸受部
６１   挟持部
６２   側壁
６３   ひさし状部分
７０   第２の軸受部
７１   挟持部
７２   側壁
７３   ひさし状部分
【図１】
2014235766.tif 000003
【図２】
2014235766.tif 000004
【図３】
2014235766.tif 000005
【図４】
2014235766.tif 000006
【図５】
2014235766.tif 000007
【図６】
2014235766.tif 000008
【図７】
2014235766.tif 000009
【図８】
2014235766.tif 000010